(57)【要約】【課題】  本発明は、椅子に座って使用する型式の洋式炬燵に用いる外気遮断幕であって、炬燵櫓の脚部を囲繞して外気を遮断し炬燵櫓及び外掛け布団内の保温効果を高めながら、かつ、使用者の足の外気遮断幕内への出し入れが容易にできる、安価で汎用性に優れる外気遮断幕を提供することを目的とする。【解決手段】使用者は、洋式炬燵の炬燵櫓内部へ使用者の足を出し入れする際には、炬燵櫓の脚部に拘止した状態の拘止部を手で押し下げて、外気遮断幕本体の垂直方向の高さを下げることにより、容易に使用者の足を出し入れすることができ、押し下げた拘止部を再び手で押し上げることにより、容易に外気遮断幕本体の垂直方向の高さを戻すことができる構造とした。【選択図】図１
2014094078.tif 000002
【特許請求の範囲】
【請求項１】
炬燵櫓を囲繞し得る水平方向の長さを持つ略長方形の外気遮断幕本体であって、該外気遮断幕本体は炬燵櫓を囲繞した形で係脱自在に係止でき、該外気遮断幕本体の裏面の少なくとも２箇所以上に固着及び／又は着脱自在にして形成された拘止部が形成されており、該拘止部には少なくとも１本以上の係脱自在に開閉して炬燵櫓の脚部に拘止できる帯体が固着及び／又は着脱自在にして形成されており、該拘止部を手で操作して外気遮断幕本体の垂直方向の高さを調整できることを特徴とした、外気遮断幕。
【請求項２】
前記外気遮断幕本体の炬燵櫓を囲繞した形で係脱自在に係止する手段として、面ファスナーが使用されていることを特徴とする、請求項１記載の外気遮断幕。
【請求項３】
前記帯体の係脱自在に開閉して炬燵櫓の脚部に拘止できる手段として、面ファスナーが使用されていることを特徴とする、請求項１又は２記載の外気遮断幕。
【請求項４】
前記帯体は弾性素材からなることを特徴とする、請求項１乃至３内の少なくとも何れか一項に記載の外気遮断幕。
【請求項５】
前記外気遮断幕本体内部に中綿素材を詰めて封止したことを特徴とする、請求項１乃至４内の少なくとも何れか一項に記載の外気遮断幕。
【発明の詳細な説明】
【技術分野】
【０００１】
本発明は、椅子に座って使用する形式の洋式炬燵に用いる外気遮断幕であって、炬燵櫓の脚部を囲繞して外気を遮断し外掛け布団及び炬燵櫓内の保温効果を高めながら、かつ、使用者の足の該外気遮断幕内への出し入れが容易にできる構造としたものである。
【背景技術】
【０００２】
椅子に座って使用する形式の洋式炬燵は、外掛け布団と床面の隙間から冷たい外気が流入しやすく、特に使用者の足を炬燵櫓内へ出し入れする際に外掛け布団を大きくめくる必要があることから、冷たい外気が流入して炬燵櫓内の温度が低下しやすい。
このような課題を解決するために、外掛け布団の内側に、炬燵櫓を全周を囲繞する外気遮断幕を用いて外気を遮断し、炬燵櫓内の保温効果を高める方法があるが、炬燵櫓を囲繞する外気遮断幕は、使用者の足の炬燵櫓内部への出し入れの際の障害となり、特に高齢等の理由により足の上げ下げが困難な使用者にとっては、該外気遮断幕を乗り越えて足を炬燵櫓内に入れることが負担となる課題が残る。
【０００３】
また、外気遮断幕を用いて外気を遮断し炬燵櫓内の保温効果を高めながら、かつ、使用者の足の該外気遮断幕内への出し入れが容易にできる構造とした外気遮断幕も先行技術文献において開示されているが、例えば特開平９−１３７９４７に開示された発明のように、略トンネル状幕を外気遮断箇所の周縁に取り付ける構造や、例えば特開２００６−２１８２８６に開示された発明のように、炬燵布団（外掛け布団）に足挿入部を形成し、該足挿入部の内側に弾性収縮性を備えた別布を設ける構造は、構造的に複雑であり専用の外掛け布団を必要とするコスト面の課題が残る。
【先行技術文献】
【特許文献】
【０００４】
【特許文献１】特開平９−１３７９４７号公報
【特許文献２】特開２００３−３３９５０２号公報
【特許文献３】特開２００６−２１８２８６号公報
【発明の概要】
【発明が解決しようとする課題】
【０００５】
本発明は、椅子に座って使用する形式の洋式炬燵に用いる外気遮断幕であって、炬燵櫓の脚部を囲繞して外気を遮断し炬燵櫓及び外掛け布団内の保温効果を高めながら、かつ、使用者の足の該外気遮断幕内への出し入れが容易にできる構造とした、安価で汎用性に優れる外気遮断幕を提供することを目的とする。
【課題を解決するための手段】
【０００６】
本発明は、炬燵櫓を囲繞し得る水平方向の長さを持つ略長方形の外気遮断幕本体であって、該外気遮断幕本体は炬燵櫓を囲繞した形で係脱自在に係止でき、該外気遮断幕本体の裏面の少なくとも２箇所以上に固着及び／又は着脱自在にして形成された拘止部が形成されており、該拘止部には少なくとも１本以上の係脱自在に開閉して炬燵櫓の脚部に拘止できる帯体が固着及び／又は着脱自在にして形成されており、該拘止部を手で操作して外気遮断幕本体の垂直方向の高さを調整できることにより、使用者の足の該外気遮断幕内への出し入れが容易にできることを特徴とした、外気遮断幕である。
【０００７】
具体的には、使用者は前記外気遮断幕により炬燵櫓を囲繞し、拘止部に形成された帯体を炬燵櫓の脚部に拘止することにより、外気遮断幕の炬燵櫓からの脱落を防止する。
さらに使用者は、洋式炬燵を使用する際には、炬燵櫓の脚部に前記帯体を拘止した状態の拘止部を手で押し下げて、外気遮断幕本体の垂直方向の高さを下げることにより、容易に使用者の足を外気遮断幕内に出し入れすることができる。
また、押し下げた拘止部を再び手で押し上げることにより、容易に外気遮断幕本体の垂直方向の高さを戻すことができるので、炬燵櫓及び外掛け布団内の保温効果を損なうこともない。
【０００８】
前記外気遮断幕本体は布等の天然繊維及び／又はポリエステル等の化学繊維の素材からなる。
該外気遮断幕本体の垂直方向の高さは、使用する椅子の座面の高さと同程度、具体的には３０〜４５センチメートル程度であることが好ましい。これより外気遮断幕本体の高さが高いと、炬燵使用時に椅子に座った使用者の足に外気遮断幕本体があたり不快な違和感となるおそれがあり、また、拘止部を手で押し下げる操作を行った際に外気遮断幕本体の高さが十分に下がりきらないためである。
また、外気遮断幕本体の水平方向の長さが使用する炬燵の側辺の全周の長さと同程度、例えば一辺が７５センチメートルの正方形のテーブル型洋式炬燵においては、該洋式炬燵の全周にあたる３００センチメートルであることが好ましいが、該洋式炬燵の全周以上の長さを持つ場合でも、余剰の長さ部分を折り畳んで面ファスナー等で係止する等の手段で使用できることは言うまでもない。
また、前記外気遮断幕は、炬燵櫓の側辺の全周を囲繞し得ることが好ましいが、デスク型の洋式炬燵のように壁に面して使用する洋式炬燵に用いる場合においては、壁に面した該デスク型の洋式炬燵の後背面まで囲繞できる必要はない。
【０００９】
前記拘止部は、本発明に係る外気遮断幕を用いる洋式炬燵の炬燵櫓の脚部の本数と同数であること、つまり最も一般的な４本の脚部を持つテーブル型の洋式炬燵においては４箇所以上設けられていることが好ましい。炬燵櫓の脚部の本数を超える数の拘止部を設けた場合には、同時に使用されない拘止部が生じることになるが、例えば６箇所の拘止部を設けることで、炬燵櫓の各脚部間の間隔が異なる正方形と長方形の洋式炬燵のいずれにも装着できる外気遮断幕を提供することが可能となる。
つまり、正方形の洋式炬燵に用いる際には等間隔で配置された拘止部群を炬燵櫓に装着し、長方形の洋式炬燵に用いる際には異なる間隔で配置された別途２箇所の拘止部を用いて長方形の炬燵の長辺と短辺の長さの違いに対応することで、長方形の洋式炬燵のいずれにも装着することが可能となる。
また、前記拘止部の炬燵櫓の脚部に接する面には、摩擦抵抗の少ない素材を使用することが、拘止部を手で押し下げる操作時の円滑な作動のために好ましい。
【００１０】
前記帯体は、１箇所の拘止部につき２本以上形成されていることが、外気遮断幕本体の垂直方向の高さを操作した際に外気遮断幕が脱落するのを防止する観点から好ましい。
また、前記拘止部に固着及び／又は着脱自在にして形成された帯体のうち少なくとも１本は、外気遮断幕の垂直方向の上縁部に設けられていることが、装着時及び操作時における外気遮断幕本体に生じるたるみを少なくするために好ましい。
また、前記帯体は、拘止部に着脱自在に装着できるようにしていることが、洋式炬燵の脚部のサイズの差異に対応した、異なる長さを持つ帯体の使用も可能となり、汎用性に優れる点で好ましい。
前記帯体を拘止部に着脱自在に装着する方法としては、面ファスナー等による係止の他、該拘止部が外気遮断幕本体へ縫い止められていない隙間の略トンネル状の空間に帯体を潜り抜けさせる手段等がある。
さらに、前記帯体は、帯状のゴムひも等の弾性素材により形成されていることが、洋式炬燵の脚部のサイズの差異に対応できる汎用性に優れる点と、外気遮断幕本体の垂直方向の高さを操作した際の引っ張られる力に柔軟に耐えうる点で好ましい。
なお、前記帯体を拘止部に着脱自在に装着できるようにしていれば、帯体を構成するゴムひも等の弾性素材が劣化した際に、交換が容易となる。
【００１１】
前記外気遮断幕本体の炬燵櫓を囲繞した形で係脱自在に係止する手段としては、該外気遮断幕本体の両端に一対の面ファスナーを使用するのが最も好ましい。安価で係脱が容易なことに加えて、係脱できる面ファスナーの面積を広くとり係止できる範囲に余裕を持たせて係止位置を調整することで、炬燵櫓の全周の微差に対応できる利点を有する。
また、前記帯体を炬燵櫓の脚部に装着する際に係脱自在に開閉する手段としては、面ファスナーの使用が最も好ましい。安価で係脱が容易なことに加えて、係脱できる面ファスナーの面積を広くとり係止できる範囲に余裕を持たせて係止する位置を調整することで、炬燵櫓の脚部のサイズの微差に対応できる利点を有する。
つまり、他の釦又は留め金具等の他の係止手段を使用する場合には、当該係止手段の定位置により係止されるため、使用できる洋式炬燵本体や脚部のサイズが極めて限定されるのに対して、面ファスナーは面積を広くとり係止できる範囲に余裕を持たせることができ、係止する位置が調整できることで洋式炬燵本体及び脚部のサイズの差異に対応しやすく、汎用性に優れる利点を有する。
もっとも、他の釦又は留め金具等の他の係止手段を使用することも当然でき、これら他の手段を用いたものが本発明の技術的範囲に属することは言うまでもない。
【００１２】
さらに、外気遮断幕本体の内部に中綿素材を詰めて布団状に封止することにより、保温効果を高めることができる。また、中綿として化学繊維等を用いる及び外気遮断幕本体に断熱効果のある素材を使用する等の当該炬燵布団の技術分野における種々の公知手段によっても保温効果を高めることができるのは当然のことであり、本発明の趣旨を逸脱しない限り、これら他の手段を用いたものが本発明の技術的範囲に属することは言うまでもない。
【発明の効果】
【００１３】
本発明に係る外気遮断幕は、椅子に座って使用する形式の洋式炬燵に用いる外気遮断幕であって、炬燵櫓の脚部を囲繞して外気を遮断し炬燵櫓及び外掛け布団内の保温効果を高めながら、かつ、使用者の足の炬燵櫓内への出し入れが容易にできる。
当該拘止部の手動操作により外気遮断幕本体の垂直方向の高さを容易に上げ下げできることで、使用者の足の炬燵櫓内部への出し入れの際に、外気遮断幕が足の出し入れの障害になることがない。つまり、使用者の足を出し入れする以前から外気遮断幕本体の垂直方向の高さが下がっていることで、特に高齢等の理由により足の上げ下げが困難な使用者にとっては、足をひっかけてしまうおそれが少ないという効果がある。
【００１４】
さらに、本発明に係る外気遮断幕は構造が簡易で、かつ、専用の外掛け布団を必要としないため、安価にこのような汎用性に優れる外気遮断幕を提供することが可能となる利点がある。
【図面の簡単な説明】
【００１５】
【図１】本発明の第一実施形態に係る外気遮断幕の裏面を広げた展開図である。
【図２】本発明の第一実施形態に係る拘止部のうち１箇所の拡大図である。
【図３】本発明の第一実施形態に係る外気遮断幕を炬燵櫓に装着した図である。
【図４】本発明の第一実施形態に係る外気遮断幕の垂直方向の高さを下げた状態の、炬燵櫓への装着図である。
【図５】本発明の第一実施形態に係る外気遮断幕の垂直方向の高さを下げた状態の、使用状態斜視図である。
【図６】本発明の第二実施形態に係る外気遮断幕の裏面を広げた展開図である。
【図７】本発明の第三実施形態に係る外気遮断幕の裏面を広げた状態の略図である。
【発明を実施するための最良の形態】
【００１６】
以下、本発明の実施の形態を説明する。なお、本発明の技術的思想から逸脱しない限り、これら実施の形態に種々の変更及び／又は追加が可能なことは言うまでもない。
【実施例１】
【００１７】
図１は、本発明の第一実施形態に係る外気遮断幕の裏面を広げた状態の展開図である。
図１に示すように、布製の外気遮断幕本体１は、炬燵櫓の脚部を囲繞し得る水平方向の長さを持つ略長方形であり、両端を本体面ファスナー部２ａ及び２ｂにより係脱自在に係止できる。該外気遮断幕本体１の裏面の４箇所には、等間隔に固着して形成された拘止部３が形成されている。
なお、本発明の第一実施形態に係る外気遮断幕は、一辺が約７５センチメートルの略正方形の炬燵櫓を持つテーブル型の洋式炬燵に使用することを想定しており、前記各拘止部の各間隔は７５センチメートルである。
ここでいう「一辺が約７５センチメートルの略正方形の炬燵櫓を持つテーブル型の洋式炬燵」とは、製造する各社により微差のある一辺７５センチメートル規格の略正方形の炬燵櫓を持つテーブル型の洋式炬燵群をいう。
【００１８】
図２は、外気遮断幕本体１の裏面の４箇所に形成された、各拘止部３のうち１箇所の拡大図である。
拘止部３は、外気遮断幕本体１に縫い付けられることにより固着して形成されているが、拘止部３が外気遮断幕本体１へ縫い止められていない部分は、略トンネル状の空間を形成している。
図２に示すように、拘止部３には、それぞれ２本の面ファスナーによって係脱自在に開閉して炬燵櫓の脚部に拘止できるゴムひも製の帯体４が、拘止部３が外気遮断幕本体１へ縫い止められていない略トンネル状の空間を潜り抜けて着脱自在に装着されている。
使用時には、該帯体４を炬燵櫓の各脚部にそれぞれ巻き、帯端４の両端の一対の帯体面ファスナー部５ａ及び５ｂによって輪状に係止することにより、４箇所の拘止部３を各脚部に拘止する。
前記帯体４は、ゴムひも製であること及び面ファスナーにより開閉されることにより、製造各社による洋式炬燵の脚部のサイズの差異に対応できる汎用性に優れる。
【００１９】
図３は、本発明に係る外気遮断幕を炬燵櫓に装着した図である。
図３に示すように、外気遮断幕本体１が炬燵櫓を囲繞し、両端は一対の本体面ファスナー部２ａ及び２ｂにより係止して閉じられている。この上から外掛け布団をかければ、外気遮断幕本体１が外気を遮断し、炬燵櫓及び外掛け布団内の保温効果を高めることができる。
【００２０】
図４は、外気遮断幕本体１の垂直方向の高さを下げた状態の、炬燵櫓への装着状態を示す図である。
図４に示すように、炬燵櫓の脚部に前記帯体４を拘止した状態の拘止部３を手で押し下げて、外気遮断幕本体の垂直方向の高さを下げることができる。拘止部３の当該操作は、炬燵櫓を四角形とみなしたときに辺を共有する２頂点に該当する炬燵櫓の脚部、つまり隣り合う脚部に装着された拘止部３を２箇所同時に操作することが好ましい。隣り合う脚部に装着された拘止部３を２箇所同時に手で押し下げれば、該２箇所の拘止部間の外気遮断幕本体１は水平を保ったまま、垂直方向の高さが床面から約５センチメートルまでに下がる。
【００２１】
図５は、外気遮断幕の垂直方向の高さを下げた状態の、使用状態斜視図である。
前記のように外気遮断幕の垂直方向の高さを下げた状態であれば、使用者の足の炬燵櫓内部への出し入れの際に、外気遮断幕が足の出し入れの障害になることがない。つまり、使用者の足を出し入れする以前から外気遮断幕本体の垂直方向の高さが下がっていることで、特に高齢等の理由により足の上げ下げが困難な使用者にとっては、足をひっかけてしまうおそれが少ないという効果がある。
足を入れ終わった使用者は、押し下げた拘止部３を再び手で押し上げることにより、容易に外気遮断幕本体１の垂直方向の高さを図３の状態に戻すことができる。
このような拘止部３の操作を行っても、ゴムひも製の帯体４により拘止された各拘止部３が容易に外れることはなく、外気遮断幕が脱落することもない。
【００２２】
また、図５に示すように、元の高さにある拘止部３と押し下げられた拘止部３との間の外気遮断幕本体１は斜め状の高さになる。使用者は１箇所の拘止部３のみを手で押し下げて、外気遮断幕本体を斜め状に下げることも可能であり、足の上げ下げに特に不自由のない使用者にとっては、これだけでも十分に外気遮断幕内への足の出し入れが容易になる。
【実施例２】
【００２３】
図６は、本発明の第二実施形態に係る外気遮断幕の裏面を広げた状態の展開図である。
図６に示す本発明の第二実施形態に係る外気遮断幕は、略正方形の炬燵櫓を持つテーブル型の洋式炬燵と、略長方形の炬燵櫓を持つテーブル型の洋式炬燵の双方に使用することが可能である。
図６に示すように、布製の外気遮断幕本体１は、炬燵櫓の脚部を囲繞し得る水平方向の長さを持つ略長方形であり、両端を本体面ファスナー部２ａ及び２ｂにより係脱自在に係止できる。該外気遮断幕本体１の裏面の４箇所には、等間隔に固着して形成された拘止部７と、異なる間隔で２箇所に固着して形成された拘止部８が形成されている。
つまり、略正方形の洋式炬燵に用いる際には等間隔で配置された拘止部７の拘止部群を炬燵櫓に装着し、略長方形の洋式炬燵に用いる際には拘止部７のうち２箇所と、異なる間隔で配置された別途２箇所の拘止部８を用いて略長方形の炬燵の長辺と短辺の長さの違いに対応することで、略正方形と略長方形の洋式炬燵のいずれにも装着することが可能となる。
【００２４】
本発明の第二実施形態に係る外気遮断幕は、一辺が約９０センチメートルの略正方形の炬燵櫓を持つテーブル型の洋式炬燵と、長辺が約１０５センチメートルで短辺が約７５センチメートルの略長方形の炬燵櫓を持つテーブル型の洋式炬燵に使用することを想定している。前記各拘止部７の各間隔は９０センチメートルであり、拘止部８は隣接する２つの拘止部７と、それぞれ７５センチメートル、１５センチメートルの間隔で形成されている。
ここでいう「一辺が約９０センチメートルの略正方形の炬燵櫓を持つテーブル型の洋式炬燵」とは、製造する各社により微差のある一辺７５センチメートル規格の略正方形の炬燵櫓を持つテーブル型の洋式炬燵群をいい、「長辺が約１０５センチメートルで短辺が約７５センチメートルの略長方形の炬燵櫓を持つテーブル型の洋式炬燵」とは、製造する各社により微差のある１０５センチメートル×７５センチメートル規格の略長方形の炬燵櫓を持つテーブル型の洋式炬燵群をいう。
その他の実施の態様及び効果は、第一実施形態と同様である。
【実施例３】
【００２５】
図７は、本発明の第三実施形態に係る外気遮断幕の裏面を広げた状態の略図である。
図７に示すように、外気遮断幕本体１内部に中綿素材を詰めて封止した中綿封入部６が設けられ、外気遮断幕本体１が布団状となっていることで保温効果が高められている
中綿素材の厚みにより、拘止部３を手で押し下げた際に、外気遮断幕本体１の垂直方向の高さが十分下がりきらなくなることがないよう、中綿素材の封入量には注意が必要であるが、一般的な薄手の炬燵布団程度の中綿封入量であれば、外気遮断幕本体１は垂直方向の高さが床面から約５センチメートルまでに下がる。
その他の実施の態様及び効果は、第一実施形態及び第二実施形態と同様である。
【符号の説明】
【００２６】
１    外気遮断幕本体
２ａ  本体面ファスナー部
２ｂ  本体面ファスナー部
３    拘止部
４    帯体
５ａ  帯体面ファスナー部
５ｂ  帯体面ファスナー部
６    洋式炬燵本体
７    拘止部
８    拘止部
９    中綿封入部
【図１】
2014094078.tif 000003
【図２】
2014094078.tif 000004
【図３】
2014094078.tif 000005
【図４】
2014094078.tif 000006
【図５】
2014094078.tif 000007
【図６】
2014094078.tif 000008
【図７】
2014094078.tif 000009